(57)【要約】  【課題】  手を傷めることなく安全に傘を閉じることができるようにする。  【解決手段】  下ろくろ８の本体１８に、傘のシャフト部分に設けられた上はじき１４を本体１８の管璧２８から突出する方向に開放するためのスリット３０が設けられ、このスリット３０により、本体の管璧２８に上はじき１４用の係止面８ａが形成される。本体１８の管璧２８に鍔部２４が設けられ、この鍔部２４に、スリット３０に所定の間隔を存して略平行に対面するように細長状の上はじき用操作片２６が形成される。操作片２６を本体１８の内側方向に屈曲させることによりスリット３０から突出する上はじき１４の上側突出部１４ａを係止面８ａから外れる方向に押し込むことができる。【選択図】  図２
2010051607.tif 000002
【特許請求の範囲】
【請求項１】
筒状の本体１８に形成された連結部１６が傘の骨部分１２に連結し、該筒状の本体１８を傘のシャフト部分に沿ってスライドさせて、傘の開閉を行うための下ろくろであって、前記シャフト部分に設けられた上はじき１４を前記本体１８の管璧２８から突出する方向に開放するための前記本体１８の管璧２８に形成されたスリット３０と、前記スリット３０から突出する上はじき１４の外側突出部１４ａの石突側の端面を係止するための前記本体の管璧２８に形成された係止面８ａと、前記スリット３０の傘柄側の端部に隣接して前記本体１８の管璧２８に設けられた鍔部２４と、前記スリット３０に所定の間隔を存して略平行に対面するように前記鍔部２４に揺動自在に形成された細長状の上はじき用操作片２６とを備え、前記操作片２６を前記本体１８の内側方向に屈曲させて前記スリット３０から突出する上はじき１４の上側突出部１４ａを前記係止面８ａから外れる方向に押し込むことができるようにしたことを特徴とする傘の下ろくろ。
【請求項２】
前記上はじき用操作片２６を可撓弾力性を有する部材により構成したことを特徴とする請求項１に記載の傘の下ろくろ。
【請求項３】
前記スリット３０の他に、前記本体１８の管璧２８に、下はじき用のスリットを設け、該スリットの傘柄側の端部に位置して、前記本体１８の管璧２８に前記シャフト部分に設けた下はじきと係合するための係止面を設けたことを特徴とする請求項１に記載の傘の下ろくろ。
【請求項４】
筒状の本体１８に形成された連結部１６が傘の骨部分１２に連結し、該筒状の本体１８を傘のシャフト部分に沿ってスライドさせて、傘の開閉を行うための下ろくろであって、前記シャフト部分に設けられた上はじき１４を前記本体１８の管璧２８から突出する方向に開放するための前記本体１８の管璧２８に形成されたスリット３０と、前記スリット３０から突出する上はじき１４の外側突出部１４ａの石突側の端面を係止するための前記本体の管璧２８に形成された係止面８ａと、前記スリット３０の傘柄側の端部に隣接して前記本体１８の管璧２８に設けられた鍔部２４と、前記スリット３０に所定の間隔を存して略平行に対面するように前記鍔部２４に揺動自在に形成された細長状の上はじき用操作片２６とを備え、前記操作片２６を前記本体１８の内側方向に屈曲させて前記スリット３０から突出する上はじき１４の上側突出部１４ａを前記係止面８ａから外れる方向に押し込むことができるようにし、前記スリット３０の傘柄側の端部に位置して、前記本体１８の管璧２８に前記シャフト部分に設けた下はじきと係合するための係止面４０を設け、前記上はじき用操作片２６にＵ字状にスリットを設けてＵ字状の下はじき用操作片３８を揺動自在に形成し、該下はじき用操作片３８を前記本体１８の内側方向に屈曲させて前記スリット３０から突出する下はじき３４の外側突出部３４ａを前記下はじき用係止面４０から外れる方向に押し込むことができるようにしたことを特徴とする傘の下ろくろ。  
【発明の詳細な説明】
【技術分野】
【０００１】
本発明は、手を傷めることなく傘を安全に閉じることができるようにした傘の下ろくろに関する。
【背景技術】
【０００２】
従来、傘を安全に開閉できるようにした種々の下ろくろが開発されている（例えば特許文献１，２参照）。
【特許文献１】特開２００１−１０４０３０号公報
【特許文献２】特開平１１−５６４３２号公報
【発明の開示】
【発明が解決しようとする課題】
【０００３】
これらの従来技術は、いずれも上はじきを直接指の腹で押して、下ろくろに対するロックを解除するものである。しかるに、上はじきは薄い鉄片により構成され、ばね圧によって下ろくろとのロックを解除しにくくなっているため、これを強く指の腹で押すと手を傷めてしまうという問題点がある。
また本願出願人は、はじきに相当する金属製の係止片を把手を介して押す構成とした下ろくろを開発したが（特願２００６−３３２９２６号）、係止片を下ろくろ側に配設する構造をとるため、下ろくろの構造が複雑になってしまうという問題点がある。
本発明は上記問題点を解決することを目的とするものである。
【課題を解決するための手段】
【０００４】
上記目的を達成するため本発明は、筒状の本体１８に形成された連結部１６が傘の骨部分１２に連結し、該筒状の本体１８を傘のシャフト部分に沿ってスライドさせて、傘の開閉を行うための下ろくろであって、前記シャフト部分に設けられた上はじき１４を前記本体１８の管璧２８から突出する方向に開放するための前記本体１８の管璧２８に形成されたスリット３０と、前記スリット３０から突出する上はじき１４の外側突出部１４ａの石突側の端面を係止するための前記本体の管璧２８に形成された係止面８ａと、前記スリット３０の傘柄側の端部に隣接して前記本体１８の管璧２８に設けられた鍔部２４と、前記スリット３０に所定の間隔を存して略平行に対面するように前記鍔部２４に揺動自在に形成された細長状の上はじき用操作片２６とを備え、前記操作片２６を前記本体１８の内側方向に屈曲させて前記スリット３０から突出する上はじき１４の上側突出部１４ａを前記係止面８ａから外れる方向に押し込むことができるようにしたものである。
また本発明は、前記上はじき用操作片２６を可撓弾力性を有する部材により構成したものである。
また本発明は、前記スリット３０の他に、前記本体１８の管璧２８に、下はじき用のスリットを設け、該スリットの傘柄側の端部に位置して、前記本体１８の管璧２８に前記シャフト部分に設けた下はじきと係合するための係止面を設けたものである。
また本発明は、筒状の本体１８に形成された連結部１６が傘の骨部分１２に連結し、該筒状の本体１８を傘のシャフト部分に沿ってスライドさせて、傘の開閉を行うための下ろくろであって、前記シャフト部分に設けられた上はじき１４を前記本体１８の管璧２８から突出する方向に開放するための前記本体１８の管璧２８に形成されたスリット３０と、前記スリット３０から突出する上はじき１４の外側突出部１４ａの石突側の端面を係止するための前記本体の管璧２８に形成された係止面８ａと、前記スリット３０の傘柄側の端部に隣接して前記本体１８の管璧２８に設けられた鍔部２４と、前記スリット３０に所定の間隔を存して略平行に対面するように前記鍔部２４に揺動自在に形成された細長状の上はじき用操作片２６とを備え、前記操作片２６を前記本体１８の内側方向に屈曲させて前記スリット３０から突出する上はじき１４の上側突出部１４ａを前記係止面８ａから外れる方向に押し込むことができるようにし、前記スリット３０の傘柄側の端部に位置して、前記本体１８の管璧２８に前記シャフト部分に設けた下はじきと係合するための係止面４０を設け、前記上はじき用操作片２６にＵ字状にスリットを設けてＵ字状の下はじき用操作片３８を揺動自在に形成し、該下はじき用操作片３８を前記本体１８の内側方向に屈曲させて前記スリット３０から突出する下はじき３４の外側突出部３４ａを前記下はじき用係止面４０から外れる方向に押し込むことができるようにしたものである。
【発明の効果】
【０００５】
本発明は上述の如く構成したので、指を傷めることなく安全に傘を閉じることができる。
【発明を実施するための最良の形態】
【０００６】
以下に本発明の実施の形態を添付した図面を参照して詳細に説明する。
図４は、折り畳み式洋傘のシャフト部分と、骨組み部分の一部を示す説明図であり、傘を開いた状態を示している。シャフト部分２は、３本のシャフトからなり、傘柄が取り付けられた一番太い下部シャフト（図示省略）には、中間スライドシャフト４がスライド自在に嵌挿配置され、該スライドシャフト４に上部スライドシャフト６がスライド自在に嵌挿配置されている。
【０００７】
前記シャフト部分２には、下ろくろ８がスライド可能に嵌挿配置されている。前記上部スライドシャフト６の上端には、石突が固設された上ろくろ１０が固設されている。前記上部スライドシャフト６の上部の所定の位置には上はじき１４が内蔵され、該上はじき１４は、その上側突出部１４ａが、前記スライドシャフト６の管璧に形成されたスリットから外部に弾発的に突出している。
【０００８】
前記上はじき１４は、金属板により構成され、外側突出部１４ａにシャフト６に対して直角方向に延びるストッパー部１４ｂが形成されている。上はじき１４は、その外側突出部１４ａを押圧することにより、シャフト６から引っ込む方向に揺動させることができるように構成されている。この上はじき１４の構成は、従来公知であるためその詳細な説明を省略する。
【０００９】
前記下部シャフトと、スライドシャフト４，６から成るシャフト部分２は全体として伸縮自在な入れ子式のいわゆる中棒を構成している。前記シャフト部分２は、３本のシャフトが互いに相対回転しないように、互いに回転防止機構（図示省略）を介して嵌合し、３本のシャフトは軸方向にのみ互いにスライド自在に嵌合している。
【００１０】
前記上ろくろ１０と下ろくろ８には、折り畳み自在な骨部分１２が結合している。シャフト部分２を伸ばし、下ろくろ８を、シャフト部分２に沿って先端（石突）方向に移動させると、図４に示すように、骨部分１２が、下ろくろ８の移動に伴って開く。下ろくろ８は、シャフト部分２に設けられたストッパー１５（図２参照）に係止される位置まで移動すると、連結部１６の下側に位置して、前記下ろくろ８に形成された係止面８ａが上はじき１４によって解除可能に係止されるように構成されている。
【００１１】
図１乃至図３は、本発明の第１の実施形態の下ろくろ８の構造を示している。下ろくろ８の本体１８は、合成樹脂の筒体により構成され、中空部２０がシャフト部分２にスライド自在に遊嵌している。本体１８の中間部には、フランジ状に連結部１６が形成され、該連結部１６の外周面に形成された凹溝部２２には、骨部分１２の受骨１２ａの各一端が枢支され、下ろくろ８は、受骨１２ａとの結合によって、シャフト部分２に対して、回転方向の移動が規制されている。
【００１２】
前記連結部１６の、傘柄側の端部には、下ろくろ８の軸方向に対して垂直な係止面８ａが形成されている。前記本体１８の、傘柄側の端部には、前記連結部１６との間に、前記上はじき１４の外側突出部１４ａの全長と略同一の長さの間隔を存して、鍔部２４が一体的に形成され、該鍔部２４の外径部に、前記連結部１６側に延びる、弾力性と可撓性を有する、操作片２６が一体的に、本体１８の軸方向に沿って、形成されている。
【００１３】
前記操作片２６の上部開放端側は、連結部１６に一体的に形成された薄板状のカバー片２７とこれに対して内側に位置して平行に対向している。このカバー片２７は、操作片２６が外方に跳ね上がるのを防止している。前記本体１８の、前記連結部１６と鍔部２４との間の筒状部の管璧２８には、上はじき１４の外側突出部１４ａを管璧２８から開放する所定の幅のスリット３０が形成されている。
【００１４】
前記スリット３０の横幅は、本実施形態では、管璧２８を円周方向に略９０度切欠した範囲に設定されている。前記スリット３０の上端面は、前記連結部１６の下面と同一面上に形成され、該下面とともに、係止面８ａを構成している。前記操作片２６の先端は、前記連結部１６の係止面８ａを有する下部端面と所定の間隔を存して対向し、該操作片２６は、前記鍔部２４から、前記スリット３０に対して所定の間隔を存して、平行に延びている。
【００１５】
前記操作片２６の横幅は、前記上はじき１４の外側突出部１４ａの厚みよりも広く設定され、且つ、前記スリット３０の横幅よりも狭く設定されている。前記操作片２６は、下ろくろ８の係止面８ａが、図２に示すように、上はじき１４によって下方向の移動が係止された状態において、上はじき１４の外側突出部１４ａに対向している。
【００１６】
上記した構成において、傘が閉じた状態では、下ろくろ８は、上はじき１４の下方に位置している。傘を開くときは、シャフト部分２を伸ばし、下ろくろ８をシャフト部分２に沿って先端の石突方向に、手操作により、骨部分１２からの弾発力に抗して、移動させる。この移動中、下ろくろ８が上はじき１４を通過するときは、上はじき１４は、下ろくろ８の中空部２０の内周面により、シャフト部分２の内側方向に押圧され、外側突出部１４ａが、ばね力に抗してシャフト部分２の内側方向に引っ込む。
【００１７】
更に下ろくろ８がストッパー１５に衝突する位置まで移動すると、下ろくろ８のスリット３０が上はじき１４の外側突出部１４ａの直上に移動する。スリット３０が上はじき１４の外側突出部１４ａに移動すると、図２に示すように、上はじき１４は、下ろくろ８からの押圧力から開放され、外側突出部１４ａが、シャフト部分２の内部から、ばね力により外側に突出し、外側突出部１４ａのストッパー部１４ｂが、下ろくろ８の係止面８ａと対面する。
【００１８】
これにより、下ろくろ８は、上はじき１４により、シャフト部分２に沿った下方向の移動が阻止され、下ろくろ８は、上部スライドシャフト６の先端側の所定位置に係止される。下ろくろ８が上はじき１４に係止された状態において、図４に示すように、傘が開いた状態となる。傘を閉じたいときは、操作片２６を指の腹で押し、これを屈曲させて上はじき１４を図３に示すように、シャフト部分２の内側方向に押し込む。
【００１９】
これにより、上はじき１４の下ろくろ８に対する係止が外れ、下ろくろ８は自由にシャフト部分２に沿って傘柄方向にスライド自在となる。該状態において、下ろくろ８をシャフト部分２に沿って、傘柄側にスライドさせ、傘を閉じ、且つシャフト部分２を短縮させる。
【００２０】
尚、本実施形態では、伸縮型のシャフト部分２に下はじきを設けていないが、下はじきを上はじき１４に対して円周方向にずらして設けても良い。この場合には、この下はじき用のスリットを図１に示すスリット３０に隣接して、本体１８の管璧２８に設ける。この場合、管璧２８には下はじき用スリットによって、下はじきの下端と係合する係止面（図示省略）が形成される。この下はじき用のスリットの構造は一般的な構成であるためその図示及び説明を省略する。
【００２１】
下はじきを指の腹で押し、下はじきによる下ろくろ８に対する係止を解除する動作は比較的弱い押圧力で行うことができるので、下ろくろ８に下はじき用の操作片を特に設けなくても良い。勿論、下ろくろ８に下はじき用の操作片を設けても良く、その場合の実施形態については後述する。シャフト部分２に下はじきを設け、下ろくろ８に下はじき用のスリットを設けた場合、傘を閉じると、下ろくろ８側の、下はじき用のスリット（図示省略）の係止面（図示省略）に、下はじきの上側突出部が係合し、下ろくろ８は下はじきに係止される。この係止は、下はじきを指の腹で軽く押すことで解除することができる。
【００２２】
次に図５乃至図８を参照して、通常の長傘に使用する下ろくろの実施形態について説明する。この実施形態の下ろくろは、通常の長傘以外に、シャフト部分が伸縮する下はじきを備えた折り畳み式洋傘にも適用することができる。
図７において、符号３２は、長傘のシャフト部分であり、これに上はじき（図示省略）と下はじき３４が設けられている。
【００２３】
このシャフト部分３２に下ろくろ８がスライド自在に嵌挿配置されている。前記上はじきと下はじき３４は、下ろくろ８のスリット３０の、シャフト部分３２に沿った、移動線上に配置されている。下ろくろ８の下はじき用操作片２６には、Ｕ字状に切り込み線３６が形成され、この切り込み線３６によって前記上はじき用操作片２６に、弾力性と可撓性を備えたＵ字状の下はじき用操作片３８が形成されている。下ろくろ８の他の構成は、図１乃至図３に示す第１の実施形態の下ろくろ８の構成と同一であり、互いの同一の部分には同一の符号を付して対応関係を明らかにしている。
【００２４】
上記した構成において、下ろくろ８をシャフト部分３２に、上はじきによって係止する作用は、第１の実施形態と同一であるのでその説明を省略する。
長傘を閉じるとき、シャフト部分３２に沿って、下ろくろ８を傘柄側に、鍔部２４の内周面が、下はじき３４を越えるまでスライドさせる。下ろくろ８のこのスライドにより、下はじき３４が下ろくろ８のスリット３０内に位置すると、下はじき３４の外側突出部３４ａはばね力によって、シャフト部分３２から突出し、下はじき用操作片３８に当接して、これを若干外方に押し上げる。
【００２５】
このとき下ろくろ８の鍔部２４の、下ろくろ８の軸方向に対して垂直な係止面４０と、下はじき３４のストッパー部は対面し、このストッパー部と係止面４０とによって、下ろくろ８の、シャフト部分３２に沿った石突方向の移動が係止される。この下ろくろ８が、下はじき３４によって係止された状態において、傘は閉じた状態となる。
【００２６】
この係止状態を解除したいときは、下はじき用操作片３８を図８に示すように、指で押し、操作片３８を本体１８の内側方向に屈曲させて、下はじき３４をシャフト部分３２の内側方向に引っ込める。これにより、下はじき３４の、下ろくろ８に対する係止が外れ、下ろくろ８は自由にシャフト部分３２に沿って、石突方向にスライド自在となる。
【図面の簡単な説明】
【００２７】
【図１】本発明に係る下ろくろの外観図である。
【図２】同上、縦断面図である。
【図３】同上、縦断面図である。
【図４】傘のシャフト部分と骨部分を示す説明図である。
【図５】本発明の他の実施形態を示す下ろくろの外観図である。
【図６】同上、正面図である。
【図７】同上、縦断面図である。
【図８】同上、縦断面図である。
【符号の説明】
【００２８】
２      シャフト部分
４      スライドシャフト
６      上部スライドシャフト
８      下ろくろ
８ａ    係止面
１０    上ろくろ
１２    骨部分
１２ａ  受骨
１４    上はじき
１４ａ  外側突出部
１４ｂ  ストッパー部
１５    ストッパー
１６    連結部
１８    本体
２０    中空部
２２    凹溝部
２４    鍔部
２６    操作片
２７    カバー片
２８    管璧
３０    スリット
３２    シャフト部分
３４    下はじき
３４ａ  外側突出部
３６    切り込み線
３８    操作片
４０    係止面
【図１】
2010051607.tif 000003
【図２】
2010051607.tif 000004
【図３】
2010051607.tif 000005
【図４】
2010051607.tif 000006
【図５】
2010051607.tif 000007
【図６】
2010051607.tif 000008
【図７】
2010051607.tif 000009
【図８】
2010051607.tif 000010